(57)【要約】【課題】切羽面に沿って無線起爆用送信アンテナを合理的に設置できる設置具を提供する。【解決手段】電界または磁界により無線起爆雷管にエネルギーを送信するための送信アンテナ１１を無線起爆雷管が装填された切羽面に設置する無線起爆用送信アンテナ１１の設置具１である。設置具１は、長尺状本体２の長手方向の一端に設けられかつ切羽面に形成された装薬孔に挿入されるように構成された挿入部３と、長尺状本体２の長手方向の他端に設けられかつ挿入部３を装薬孔に挿入する際に使用者に把持される把持部４と、長尺状本体２に設けられかつ送信アンテナ１１を保持するアンテナ保持部５を有する。【選択図】図２
2020010246.tif 000002
【特許請求の範囲】
【請求項１】
電界または磁界により無線起爆雷管にエネルギーを送信するための送信アンテナを前記無線起爆雷管が装填された切羽面に設置する無線起爆用送信アンテナの設置具であって、
長尺状本体の長手方向の一端に設けられかつ前記切羽面に形成された装薬孔に挿入されるように構成された挿入部と、
前記長尺状本体の前記長手方向の他端に設けられかつ前記挿入部を前記装薬孔に挿入する際に使用者に把持される把持部と、
前記長尺状本体に設けられかつ前記送信アンテナを保持するアンテナ保持部とを有する無線起爆用送信アンテナの設置具。
【請求項２】
請求項１に記載の無線起爆用送信アンテナの設置具であって、
前記長尺状本体が中空筒状であり、
前記アンテナ保持部は、前記挿入部の先端から前記長尺状本体の前記長手方向に延出しかつ前記送信アンテナが貫通されるように構成されたスリットを有する無線起爆用送信アンテナの設置具。
【請求項３】
請求項２に記載の無線起爆用送信アンテナの設置具であって、
前記長尺状本体が弾性を有する素材から形成され、前記スリットを利用して前記挿入部が縮径するように弾性変形可能な無線起爆用送信アンテナの設置具。
【請求項４】
請求項２または３に記載の無線起爆用送信アンテナの設置具であって、
前記アンテナ保持部は、前記スリットである第１スリットと、前記第１スリットに対して前記長尺状本体の径方向に対向する第２スリットを有し、前記送信アンテナが前記第１スリットと前記第２スリットとを前記径方向に貫通するように構成された無線起爆用送信アンテナの設置具。
【請求項５】
無線起爆雷管に電界エネルギーまたは磁界エネルギーを送信する送信アンテナを切羽面に設置する無線起爆用送信アンテナの設置方法であって、
前記切羽面に形成された複数の装薬孔のそれぞれに前記無線起爆雷管と爆薬を設置し、
複数の長尺状の設置具を準備し、
前記設置具のそれぞれに前記送信アンテナを貫通させ、
前記設置具の第１端を保持しつつ、前記設置具の第２端を前記切羽面の外周縁の近傍に位置するいくつかの前記装薬孔のそれぞれに挿入し、これによって前記送信アンテナを前記切羽面の外周に沿ってループ状に設置する無線起爆用送信アンテナの設置方法。
【請求項６】
請求項５に記載の無線起爆用送信アンテナの設置方法であって、
前記設置具が中空筒状の長尺状本体と前記第２端から前記長尺状本体の長手方向に延出するスリットを有し、前記スリットに前記送信アンテナを貫通させ、前記第２端を前記装薬孔に挿入する無線起爆用送信アンテナの設置方法。
【請求項７】
請求項６に記載の無線起爆用送信アンテナの設置方法であって、
前記設置具が前記スリットである第１スリットと、前記第１スリットに対して前記長尺状本体の径方向に対向する第２スリットを有し、前記送信アンテナを前記第１スリットと前記第２スリットに前記径方向に挿通し、前記送信アンテナを前記設置具に対して前記径方向にスライドさせて前記送信アンテナの前記設置具に対する位置を調整する無線起爆用送信アンテナの設置方法。
【発明の詳細な説明】
【技術分野】
【０００１】
本発明は、無線起爆用送信アンテナの設置具及び無線起爆用送信アンテナの設置方法に関する。
【背景技術】
【０００２】
トンネルを堀削する際などに利用する発破堀削では、一般に先ず掘削面である切羽面に装薬孔を所定の間隔で複数形成する。装薬孔の大きさは例えば径が数ｃｍ、深さは数ｍ程度である。各装薬孔に爆薬と、無線で爆薬を起爆させる無線起爆雷管を装填する。切羽面から離れた位置に起爆操作機と起爆操作機側アンテナを設ける。起爆操作機を操作することで、起爆操作機側アンテナが信号を無線で送信する。信号を受信した無線起爆雷管が爆薬を爆破させる。この発破堀削として種々な発破工法が開示されている。
【０００３】
特許文献１の発破工法は、無線で雷管に電力を供給する送信アンテナを利用する。送信アンテナは、堀削したトンネルの外周に沿ってループ状に設置される。送信アンテナに電流を流すことで電界または磁界が生じる。無線起爆雷管は、コイルを有する受信機と受信アンテナを備える。受信機が送信アンテナによって発生した電界または磁界を受けて電流を発生させる。その電流が起爆に必要な電力（エネルギー）として雷管に設けられたコンデンサに蓄えられる。雷管の受信アンテナが起爆信号（ＩＤ要求信号や電子回路準備開始信号を含む）を受信し、雷管がコンデンサに蓄えられた電力を利用して爆薬を起爆させる。
【０００４】
この無線起爆雷管は、予め電力を蓄えた内蔵バッテリを有さないために安全性が高い。無線であるため起爆器と雷管を間違えて結線することもない。特許文献１の無線起爆用送信アンテナは、トンネルの外周に沿ってループ状に設けられ、切羽面から離れた位置に配置されることが多い。送信アンテナは、例えばロックボルトによってトンネルの洞床、洞側壁、洞天井にされる。
【先行技術文献】
【特許文献】
【０００５】
【特許文献１】特開２００１−３３０４００号公報
【発明の概要】
【発明が解決しようとする課題】
【０００６】
無線起爆用送信アンテナは、電力供給の観点から無線起爆雷管の近傍に位置することが好ましい。そのため雷管が装填された切羽面に密着するように設置することが好ましい。送信アンテナをロックボルト等で切羽面に設置する場合、通常作業者は手作業で行う。そのため作業者が切羽面に対して直接手で触れる場合がある。しかし切羽面は、地山が露出した状態であるため、肌落ちと呼ばれる岩石の落下が起こることもある。そのため切羽面近傍における作業者の安全性確保が重要になる。そこで切羽面に沿って無線起爆用送信アンテナを合理的に設置できる設置具が従来必要とされている。
【課題を解決するための手段】
【０００７】
本開示の１つの特徴によると、設置具は、電界または磁界により無線起爆雷管にエネルギーを送信するための送信アンテナを無線起爆雷管が装填された切羽面に設置する。設置具は、挿入部と把持部とアンテナ保持部を有する。挿入部は、長尺状本体の長手方向の一端に設けられかつ切羽面に形成された装薬孔に挿入されるように構成される。把持部は、長尺状本体の長手方向の他端に設けられかつ挿入部を装薬孔に挿入する際に使用者に把持される。アンテナ保持部は、長尺状本体に設けられかつ送信アンテナを保持する。
【０００８】
したがって作業者は、設置具を利用して無線起爆用送信アンテナを設置することができる。しかも使用者は、直接切羽面に触れることなく送信アンテナを切羽面に設置することができる。そのため肌落ち（岩石の落下）が起きやすい切羽面と使用者との距離を確保しつつ送信アンテナを切羽面に沿って設置できる。かくして作業者は、より安全に送信アンテナを切羽面に設置できる。
【０００９】
本開示の他の１つの特徴によると、長尺状本体が中空筒状である。アンテナ保持部は、スリットを有する。スリットは、挿入部の先端から長尺状本体の長手方向に延出しかつ送信アンテナが貫通されるように構成される。したがって送信アンテナをスリットの先端から挿入することで、送信アンテナを長尺状本体に保持させることができる。したがって送信アンテナを長尺状本体に形成された孔に挿入する場合等に比べて容易に送信アンテナを長尺状本体に保持させることができる。しかもスリットという簡易な構造で送信アンテナを保持させることができる。
【００１０】
本開示の他の１つの特徴によると、長尺状本体が弾性を有する素材から形成される。長尺状本体は、スリットを利用して挿入部が縮径するように弾性変形可能である。したがって設置具を装薬孔に挿入しやすい。例えば、装薬孔の孔壁面から岩石などの障害物が突出している場合がある。あるいは柔らかい岩盤に装薬孔を設けた際に装薬孔の孔壁面に凹凸が生じる場合がある。このような装薬孔に対しても挿入部が縮径することで挿入部を容易に装薬孔に挿入できる。
【００１１】
本開示の他の１つの特徴によると、アンテナ保持部は、スリットである第１スリットと、第１スリットに対して長尺状本体の径方向に対向する第２スリットを有する。アンテナ保持部は、送信アンテナが第１スリットと第２スリットとを径方向に貫通するように構成される。したがって第１スリットと第２スリットに対して送信アンテナを同じ方向に挿入できる。そのためより簡易に送信アンテナを設置具に保持させることができる。
【００１２】
本開示の他の１つの特徴は、無線起爆雷管に電界エネルギーまたは磁界エネルギーを送信する送信アンテナを切羽面に設置する無線起爆用送信アンテナの設置方法に関する。まず切羽面に形成された複数の装薬孔のそれぞれに無線起爆雷管と爆薬を設置する。続いて複数の長尺状の設置具を準備する。設置具のそれぞれに送信アンテナを貫通させる。設置具の第１端を保持しつつ、設置具の第２端を切羽面の外周縁の近傍に位置するいくつかの装薬孔のそれぞれに挿入する。これによって送信アンテナを切羽面の外周に沿ってループ状に設置する。
【００１３】
したがって作業者は、設置具を利用して送信アンテナを設置することができる。しかも使用者は、直接切羽面に触れることなく送信アンテナを切羽面に設置することができる。そのため落ち（岩石の落下）が起きやすい切羽面と使用者との距離を確保しつつ送信アンテナを切羽面に沿って設置できる。かくして作業者は、より安全に送信アンテナを切羽面に設置できる。
【００１４】
本開示の他の１つの特徴によると、設置具が中空筒状の長尺状本体と第２端から長尺状本体の長手方向に延出するスリットを有する。スリットに送信アンテナを貫通させ、第２端を装薬孔に挿入する。したがって送信アンテナをスリットの先端から挿入することで、送信アンテナを長尺状本体に保持させることができる。
【００１５】
したがって送信アンテナを長尺状本体に形成された孔に挿入する場合等に比べて容易に送信アンテナを長尺状本体に保持させることができる。しかもスリットという簡易な構造で送信アンテナを保持させることができる。スリットの先端は長尺状本体の第２端に位置し、その第２端が装薬孔に挿入される。これによりスリットの先端が装薬孔の孔壁によって覆われる。したがって送信アンテナがスリットの先端から外れることが防止され、送信アンテナが不意に装着具から外れることが防止される。
【００１６】
本開示の他の１つの特徴によると、設置具がスリットである第１スリットと第２スリットを有する。第２スリットは、第１スリットに対して長尺状本体の径方向に対向する。送信アンテナを第１スリットと第２スリットに径方向に挿通する。送信アンテナを設置具に対して径方向にスライドさせて送信アンテナの設置具に対する位置を調整する。したがって第１スリットと第２スリットに対して送信アンテナを同じ方向に挿入できる。そのためより簡易に送信アンテナを設置具に保持させることができる。送信アンテナが長尺状本体に対して径方向に略直線状に挿通される。これにより送信アンテナを長尺状本体に対して径方向にスライドさせることができる。そのため送信アンテナを長尺状本体に対して所望の位置に調整できる。
【図面の簡単な説明】
【００１７】
【図１】トンネルとトンネルの切羽面を爆破するための無線起爆システムの概略斜視図である。
【図２】送信アンテナの一部と設置具の斜視図である。
【図３】送信アンテナが装着された設置具の斜視図である。
【図４】切羽面に送信アンテナを設置する手順のフローチャートである。
【図５】送信アンテナが装着された設置具の側面図と装薬孔の断面図である。
【図６】設置具が挿入された装薬孔の断面図である。
【図７】無線起爆雷管の斜視図である。
【図８】図６のＶＩＩＩ−ＶＩＩＩ線断面矢視図である。
【図９】接続コネクタによって繋げられた送信アンテナが装着された設置具の上面図である。
【図１０】他の実施例にかかる設置具の斜視図である。
【図１１】他の実施例にかかる設置具の斜視図である。
【図１２】他の実施例にかかる設置具の斜視図である。
【図１３】他の実施例にかかる設置具の斜視図である。
【図１４】他の実施例にかかる設置具の斜視図である。
【図１５】他の実施例にかかる設置具の斜視図である。
【図１６】他の実施例にかかる設置具の斜視図である。
【発明を実施するための形態】
【００１８】
本発明の一実施形態について図面を用いて説明する。図１に示すように無線起爆システム１０は、トンネル２０の切羽面２１を爆破してトンネル２０を堀削する際に利用される。トンネル２０は、筒状で洞床２２と洞側壁２３と洞天井２４を有する。トンネル２０は、入口から一番遠い位置に堀削対象である切羽面２１を有し、切羽面２１は、洞床２２から起立している。
【００１９】
図１に示すように切羽面２１には、複数の装薬孔２１ａが設けられる。装薬孔２１ａは、切羽面２１に入口を有し、切羽面２１から略直交する方向に延出する。装薬孔２１ａは、径が３〜２０ｃｍで例えば５ｃｍ程度である。装薬孔２１ａの深さは５０ｃｍ〜３ｍで例えば２ｍ程度である。装薬孔２１ａは、ドリル等で切羽面２１に形成される。装薬孔２１ａは、切羽面２１に所定間隔を有して複数形成される。装薬孔２１ａの直径は、入口から終端まで一定である。
【００２０】
図１に示すように無線起爆システム１０は、起爆操作機１４と中継装置１３と送信アンテナ１１を有する。起爆操作機１４は、電場または磁場の発生するために必要な電流を発信する。起爆操作機１４は、発破母線１９によって中継装置１３に接続される。中継装置１３は、内部に整合・同調回路等を有し発破母線１９と負荷（補助母線１２及び送信アンテナ１１）の電気的特性のミスマッチを解消することで、整合と同調を行う。中継装置１３から切羽面２１までの距離Ｌ1は、例えば５０ｍ程度である。中継装置１３から起爆操作機１４からまでの距離Ｌ2は、例えば１００〜３００ｍ程度である。
【００２１】
図１に示すように中継装置１３は、通信線１６によって受信アンテナ１５に接続され、補助母線１２によって送信アンテナ１１に接続される。受信アンテナ１５は、例えばポール状のアンテナである。受信アンテナ１５は、切羽面２１（被爆破個所）から例えば０ｍ〜１００ｍ離れた位置に配置される。受信アンテナ１５は、図５，６に示す無線起爆雷管１８から発信される応答信号を受信する。
【００２２】
図１に示すように送信アンテナ１１は、切羽面２１に近接または密着するように切羽面２１に沿って設置される。送信アンテナ１１は、切羽面２１の外周形状に沿ってループ状に張り巡らされる。すなわち送信アンテナ１１は、洞床２２と洞側壁２３と洞天井２４に沿って切羽面２１の表面に張られる。送信アンテナ１１は、１周でも良いし、２周以上巻かれても良い。
【００２３】
図１に示す送信アンテナ１１と補助母線１２は、爆破する毎に新たに張られる。補助母線１２と送信アンテナ１１は、専用コネクタを介して接続される。専用コネクタは、送信アンテナ１１の途中において送信アンテナ１１の一部と他の一部とを連結するためにも利用されることもある。送信アンテナ１１は、設置具１を利用して切羽面２１に形成された装薬孔２１ａに設置される。
【００２４】
図５に示すように無線起爆システム１０（図１参照）は、切羽面２１の装薬孔２１ａに装填された爆薬ユニット１７を有する。爆薬ユニット１７は、爆薬として親ダイ用爆薬１７ａと増ダイ用爆薬１７ｂを有する。親ダイ用爆薬１７ａには無線起爆雷管１８が取付けられる。装薬孔２１ａに装填される際、親ダイ用爆薬１７ａが無線起爆雷管１８とともに先頭に配置される。増ダイ用爆薬１７ｂは、親ダイ用爆薬１７ａに必要に応じて連結される。増ダイ用爆薬１７ｂの数は、必要な破壊エネルギーに応じて決定される。
【００２５】
図７に示すように無線起爆雷管１８は、略筒状の３軸アンテナ１８ａと制御部１８ｂと起爆部１８ｃを有する。制御部１８ｂと起爆部１８ｃが３軸アンテナ１８ａ内に収容される。３軸アンテナ１８ａの内径は、図５，６に示す親ダイ用爆薬１７ａの外径よりも大きい。親ダイ用爆薬１７ａが３軸アンテナ１８ａに挿入され、起爆部１８ｃが親ダイ用爆薬１７ａに差し込まれる。
【００２６】
図７に示すように３軸アンテナ１８ａは、Ｘ軸方向を軸として巻き回したコイル１８ｅと、Ｚ軸方向に巻き回したコイル１８ｆと、Ｙ軸方向に巻き回したコイル１８ｇを有する。制御部１８ｂには電力を蓄電可能なコンデンサ（図示しない）が内包される。コイル１８ｅとコイル１８ｆとコイル１８ｇは、送電線１８ｈを介して制御部１８ｂと接続される。起爆部１８ｃは、制御部１８ｂの一端から突出する。制御部１８ｂから供給された電力を起爆部１８ｃに電流を流して爆薬を起爆させる。
【００２７】
図７に示すように無線起爆雷管１８は、送信機１８ｄを有する。送信機１８ｄは、制御部１８ｂの端面に設けられ、制御部１８ｂと電気的に接続されている。送信機１８ｄは、制御部１８ｂ内のコンデンサに電力が蓄えられた際に、起爆の準備ができた旨の信号（応答信号）を自発的に発信する。
【００２８】
図１に示すように送信アンテナ１１は、設置具１を使用して装薬孔２１ａに装填される。図２に示すように設置具１は、長尺状本体２を有する。長尺状本体２は、円筒状であって中空部２ａを有する。長尺状本体２は、第１端（他端部）２ｃから第２端（一端部）２ｂに延出する長尺部材である。長尺状本体２の長さ２ｄは、５０〜３００ｃｍで、例えば１５０ｃｍ程度である。長尺状本体２の直径２ｅは、装薬孔２１ａの直径よりも少し細く、３〜１０ｃｍで例えば３〜５ｃｍ程度である。長尺状本体２の長さ２ｄ）に対する（長尺状本体２の直径２ｅ）の比率２ｄ／２ｅは例えば０．０２〜０．０９である。長尺状本体２は、弾性変形可能な材質および／または可燃性材料から形成される。長尺状部材は、例えば、紙、プラスチック、ゴム、不織布等から形成される。
【００２９】
図２に示すように設置具１は、長尺状本体２の第１端（他端部２ｃ）に把持部４を有する。把持部４は、長尺状本体２の第２端（一端部２ｂ）を装薬孔２１ａに挿入する際に使用者に把持される。把持部４の長さは、１０〜１４０ｃｍで例えば１００ｃｍ程度である。あるいは把持部４の長さは、長尺状本体２の長さの１０分の９〜半分、例えば４分の３である。使用者は、設置具１を装薬孔２１ａに挿入する際に、設置具１の把持部４を持つことで、切羽面２１から所定の距離と保つことができる。
【００３０】
図２に示すように設置具１は、長尺状本体２の第２端（一端部２ｂ）に装薬孔２１ａに挿入される挿入部３を有する。挿入部３の長さは、長尺状本体２の長さから把持部４の長さを引いた長さである。挿入部３の長さは、１０〜１５０ｃｍで例えば５０ｃｍ程度である。あるいは挿入部３の長さは、長尺状本体２の長さの半分〜１０分の１、例えば４分の１である。
【００３１】
図２に示すように設置具１は、送信アンテナ１１を保持するアンテナ保持部５を有する。アンテナ保持部５は、挿入部３に形成される第１スリット５ａと第２スリット５ｂを有する。第１スリット５ａと第２スリット５ｂは、長尺状本体２の一端部２ｂ、すなわち挿入部３の先端から長手方向に延出する。第１スリット５ａと第２スリット５ｂは、一端部２ｂに位置する入端部５ｃ，５ｄと、挿入部３の基端部に相当する場所に位置する終端部５ｅ，５ｆを有する。第１スリット５ａと第２スリット５ｂは、径方向に対向する場所に位置する。
【００３２】
図２〜６に示すように設置具１を用いて送信アンテナ１１を設置する。設置具１を用いての送信アンテナ１１の設置方法について説明する。切羽面２１の表面から岩石等を取り除くため、岩石等を叩いて落とす作業（コソクとも呼ばれる）を行う。図１に示すように先ず切羽面２１に複数の装薬孔２１ａを形成する。装薬孔２１ａはドリル等を用いて形成する。装薬孔２１ａのそれぞれに爆薬ユニット１７を装填する（図４のステップＳ１）。図５に示すように爆薬ユニット１７の手前に込め物４１を装填して、爆薬ユニット１７を保護する。図２に示すように設置具１を準備する（図４のステップＳ２）。
【００３３】
図２，３に示すように設置具１の第１スリット５ａと第２スリット５ｂに送信アンテナ１１を挿入する。これにより送信アンテナ１１を設置具１のアンテナ保持部５に保持させる（図４のステップＳ３）。具体的には送信アンテナ１１を第１スリット５ａの入端部５ｃから終端部５ｅに向けて挿入し、送信アンテナ１１を第２スリット５ｂの入端部５ｄから終端部５ｆに向けて挿入する。送信アンテナ１１は、第１スリット５ａと第２スリット５ｂの終端部５ｅ，５ｆに位置し、長尺状本体２を径方向に貫通（挿通）する。
【００３４】
図５に示すように使用者は、設置具１の把持部４を把持しつつ、挿入部３を装薬孔２１ａに挿入する。これにより図６に示すように送信アンテナ１１が装薬孔２１ａに沿って設置される。図１に示すようにトンネル２０の切羽面２１の外周縁に沿う複数の装薬孔２１ａに設置具１を利用して送信アンテナ１１を固定させる（図４のステップＳ４）。固定後も、図２，３に示すように送信アンテナ１１は、第１スリット５ａ及び第２スリット５ｂの間でスライドさせて、その位置を調整することができる。
【００３５】
図８に示すように装薬孔２１ａの孔壁面から岩石などの障害物２９が突出する場合がある。これに対して長尺状本体２は、弾性変形可能な素材で形成される。しかも長尺状本体２は、第１スリット５ａと第２スリット５ｂを有する。このため挿入部３は、スリット５ａ，５ｂ（図２，３参照）を利用して弾性的に縮径して障害物２９を避けることができる。かくして長尺状本体２は、障害物２９に邪魔になることなく装薬孔２１ａに挿入され得る。
【００３６】
図１に示すように無線起爆システム１０を動作させる場合、起爆操作機１４を操作する。起爆操作機１４から供給された電流が発破母線１９、中継装置１３、補助母線１２を介し送信アンテナ１１に流れる。ループ状に設置された送信アンテナ１１に電流が流れることより電界または磁界が発生する。
【００３７】
図７に示すようにコイル１８ｅがＸ軸方向の電界または磁界を受けて電流を発生させる。コイル１８ｇがＹ軸方向の電界または磁界を受けて電流を発生させる。コイル１８ｆがＺ軸方向の電界または磁界を受けて電流を発生させる。電流が送電線１８ｈを経由して制御部１８ｂ内のコンデンサに送られて電力として蓄えられる。コンデンサに電力が蓄えられると、送信機１８ｄが応答信号を送信する。応答信号が受信アンテナ１５によって受信され、通信線１６と中継装置１３を経由して起爆操作機１４に送信される。
【００３８】
図１に示す起爆操作機１４が送信アンテナ１１を利用して起爆信号を発信する。起爆信号は、電力供給用として送信アンテナ１１が発生する電場または磁場と異なる周波数に重畳されている。図７に示す無線起爆雷管１８の３軸アンテナ１８ａが起爆信号を受信すると、制御部１８ｂで信号が解読され、信号の内容に応じて起爆部１８ｃに電流が流れて起爆する。起爆部１８ｃが起爆することによって、親ダイ用爆薬１７ａが起爆され、親ダイ用爆薬１７ａが起爆することで増ダイ用爆薬１７ｂも起爆する。
【００３９】
図２に示すように設置具１は、挿入部３と把持部４とアンテナ保持部５を有する。図６に示すように挿入部３は、長尺状本体２の長手方向の一端に設けられかつ切羽面２１に形成された装薬孔２１ａに挿入されるように構成される。把持部４は、長尺状本体２の長手方向の他端に設けられかつ挿入部３を装薬孔２１ａに挿入する際に使用者に把持される。アンテナ保持部５は、長尺状本体に設けられかつ送信アンテナを保持する。
【００４０】
したがって図６に示すように設置具１を用いることで作業者は、設置具１を利用して無線起爆用送信アンテナ１１を設置することができる。しかも使用者は、直接切羽面２１に触れることなく送信アンテナ１１を切羽面２１に設置することができる。そのため肌落ち（岩石の落下）が起きやすい切羽面２１と使用者との距離を確保しつつ送信アンテナ１１を切羽面２１に沿って設置できる。かくして作業者は、より安全に送信アンテナを切羽面に設置できる。
【００４１】
図２に示すように設置具１の長尺状本体２は中空筒状である。アンテナ保持部５は、スリット５ａ，５ｂを有する。スリット５ａ，５ｂは、挿入部３の先端から長尺状本体２の長手方向に延出しかつ送信アンテナ１１が貫通されるように構成される。したがって送信アンテナ１１をスリット５ａ，５ｂの先端から挿入することで、送信アンテナ１１を長尺状本体２に保持させることができる。したがって送信アンテナ１１を長尺状本体２に形成された孔に挿入する場合等に比べて容易に送信アンテナ１１を長尺状本体２に保持させることができる。しかもスリット５ａ，５ｂという簡易な構造で送信アンテナ１１を保持させることができる。
【００４２】
設置具１の長尺状本体２は、弾性を有する素材から形成される。そのため図６，８に示すように長尺状本体２は、スリット５ａ，５ｂを利用して挿入部３が縮径するように弾性変形可能である。したがって設置具１を装薬孔２１ａに挿入しやすい。例えば、装薬孔２１ａの孔壁面から岩石などの障害物２９が突出している場合がある。あるいは柔らかい岩盤に装薬孔２１ａを設けた際に装薬孔２１ａの孔壁面に凹凸が生じる場合がある。このような装薬孔２１ａに対しても挿入部３が縮径することで挿入部３を容易に装薬孔２１ａに挿入できる。
【００４３】
図２，３に示すようにアンテナ保持部５は、スリットである第１スリット５ａと、第１スリット５ａに対して長尺状本体２の径方向に対向する第２スリット５ｂを有する。アンテナ保持部５は、送信アンテナ１１が第１スリット５ａと第２スリット５ｂとを径方向に貫通するように構成される。したがって第１スリット５ａと第２スリット５ｂに対して送信アンテナ１１を同じ方向に挿入できる。そのためより簡易に送信アンテナ１１を設置具１に保持させることができる。
【００４４】
図６に示すように送信アンテナ１１は、設置具１の第１スリット５ａの終端部５ｅと第２スリット５ｂの終端部によって切羽面２１に対して押し付けられる。したがって送信アンテナ１１は設置具１により、切羽面２１に密着させることができる。すなわち爆薬ユニット１７からできる限り近距離に送信アンテナ１１を設置することができ、電界または磁界のエネルギーが送信アンテナ１１から爆薬ユニット１７の無線起爆雷管１８に対し供給しやすくなる。
【００４５】
図７に示す無線起爆雷管１８は、３つのコイル１８ｅ、１８ｆ，１８ｇを有する３軸アンテナ１８ａを有する。無線起爆雷管１８は、３軸アンテナ１８ａに代えてコイル１８ｅ、１８ｆ，１８ｇのいずれか１つまたは２つを有するアンテナを有していても良い。
【００４６】
図１に示す送信アンテナ１１は、一連のワイヤーから構成される。これに代えて送信アンテナ１１は、図９に示すように専用のコネクタ４０によって複数のワイヤーを連結した構成でも良い。コネクタ４０による接続部分が設置具１の内部に配置するように送信アンテナ１１を設置具１に装着しても良い。この場合、コネクタ４０を岩石などの障害物から守ることができる。
【００４７】
図３に示すアンテナ保持部５は、第１スリット５ａと第２スリット５ｂを有する。これに代えてアンテナ保持部５は、図１０に示すように対向する場所に位置する二つの孔５１を有していても良い。孔５１に送信アンテナ１１を貫通させることで送信アンテナ１１が長尺状本体２に保持される。孔５１は、送信アンテナ１１が長手方向に移動することを規制する。これにより送信アンテナ１１の長手方向の位置を決定できる。
【００４８】
アンテナ保持部５は、図３に示すスリット５ａ，５ｂに代えて、図１１に示すように対向する位置に孔５２とスリット５３を有していても良い。スリット５３は、挿入部３の先端から長手方向に向かって直線上に延出する。孔５２とスリット５３に送信アンテナ１１を挿入する。送信アンテナ１１が長尺状本体２に保持される。
【００４９】
アンテナ保持部５は、図３に示すスリット５ａ，５ｂに代えて、図１２に示すように第１スリット５ａの終端部５ｅと第２スリット５ｂの終端部５ｆの位置に位置決め孔５４を設けても良い。位置決め孔５４は、第１スリット５ａまたは第２スリット５ｂの幅よりも大きい。第１スリット５ａと第２スリット５ｂは、位置決め孔５４の直径および送信アンテナ線の直径より幅が狭いため、位置決め孔５４に設置した送信アンテナ１１が位置決め孔５４から抜けることを抑制する。
【００５０】
アンテナ保持部５は、図３に示すスリット５ａ，５ｂに代えて、図１３に示すように長尺状本体２の中央に形成されたスリット５５ａ，５５ｂを有していても良い。スリット５５ａ，５５ｂは、挿入部３の近傍から長手方向に延出する。スリット５５ａ，５５ｂは、孔に比べて長いので、送信アンテナ１１を挿入しやすく、かつ送信アンテナ１１が長手方向に抜けることを防止する。
【００５１】
アンテナ保持部５は、図１４に示すように第１スリット５ａ及び第２スリット５ｂに加え、第３スリット５６ａと第４スリット５６ｂを有していても良い。第３スリット５６ａと第４スリット５６ｂは、長尺状本体２の端縁から長手方向に延出する。第３スリット５６ａと第４スリット５６ｂは、第１スリット５ａと第２スリット５ｂが位置する平面に直交する平面上に位置する。４つのスリットの存在により、挿入部３がより柔軟に変形でき、装薬孔２１ａに挿入されやすくなる。
【００５２】
アンテナ保持部５は、図１５に示すように第１スリット５ａの終端部５ｅ及び第２スリット５ｂの終端部５ｆに位置決め孔５４を設けてもよく、さらに図１５に示すように第３スリット５６ａの終端部５６ｅと第４スリット５６ｂの終端部５６ｆに位置決め孔５８を設けてもよい。図１５のように位置決め孔５４と位置決め孔５８が存在すれば四つの位置決め孔の中から送信アンテナ１１を固定する箇所を選ぶことができ、柔軟な固定方法に対応できる。
【００５３】
アンテナ保持部５は、図３に示すスリット５ａ，５ｂに代えて、図１６に示すように長尺状本体２の周方向に沿って設けるスリット５７ａ，５７ｂを有していても良い。スリット５７ａ，５７ｂは、単なる孔と比べて長いため、送信アンテナ１１を挿入しやすく、かつ挿入部３の先端からの距離を一定に保ちやすい。これにより送信アンテナ１１を位置決めしやすくなる。
【００５４】
設置具１は、長尺状本体２の先端から長手方向に延出する複数のスリットと、複数のスリットによって切断された先端を折り返した「かえし」を有していても良い。「かえし」は、挿入部３の先端に形成される。「かえし」は、装薬孔２１ａに挿入された挿入部３が装薬孔２１ａから抜けることを抑制する一方で、挿入部３の装薬孔２１ａへの挿入を邪魔しない。
【符号の説明】
【００５５】
１      設置具
２      長尺状本体
３      挿入部
４      把持部
５      アンテナ保持部
５ａ    第１スリット
５ｂ    第２スリット
１１    送信アンテナ
１８    無線起爆雷管
２１    切羽面
２１ａ  装薬孔
【図１】
2020010246.tif 000003
【図２】
2020010246.tif 000004
【図３】
2020010246.tif 000005
【図４】
2020010246.tif 000006
【図５】
2020010246.tif 000007
【図６】
2020010246.tif 000008
【図７】
2020010246.tif 000009
【図８】
2020010246.tif 000010
【図９】
2020010246.tif 000011
【図１０】
2020010246.tif 000012
【図１１】
2020010246.tif 000013
【図１２】
2020010246.tif 000014
【図１３】
2020010246.tif 000015
【図１４】
2020010246.tif 000016
【図１５】
2020010246.tif 000017
【図１６】
2020010246.tif 000018